(57)【要約】【課題】圧力噴霧ノズルの往き油管からディストリビューターまでの安価な流路形成方法を提供する。【解決手段】液体燃料燃焼機器に用いられ、圧送された燃料をディストリビューターに形成されたオフセット溝を通過させ旋回力を与えることにより、オリフィス噴出口から微粒化し噴霧する構造の圧力噴霧ノズルにおいて、前記圧力噴霧ノズルに形成されるディストリビューターまで液体燃料の流入経路をディストリビューター押さえのノズルケースとの締結部に軸方向に溝状に形成したことを特徴とする圧力噴霧ノズル。【選択図】図２
2004092952.tif 000002
【特許請求の範囲】
【請求項１】
液体燃料燃焼機器に用いられ、圧送された燃料をディストリビューターに形成されたオフセット溝を通過させ旋回力を与えることにより、オリフィス噴出口から微粒化し噴霧する構造の圧力噴霧ノズルにおいて、前記圧力噴霧ノズルに形成されるディストリビューターまで液体燃料の流入経路をディストリビューター押さえのノズルケースとの締結部に軸方向に溝状に形成したことを特徴とする圧力噴霧ノズル。
【請求項２】
前記圧力噴霧ノズルに形成する液体燃料の流入経路を周方向に複数形成したことを特徴とする請求項１記載の圧力噴霧ノズル。
【発明の詳細な説明】
【０００１】
【発明の属する技術分野】
本発明は、良好かつ安定した燃焼を得ることができる石油給湯器などの液体燃料燃焼機器の液体燃料微粒化用の圧力噴霧ノズルに係る。
【０００２】
【従来の技術】
従来の圧力噴霧ノズルでは、出願番号「特願平７−１５２８９１」にも示されているように圧力噴霧ノズルの流入経路はディストリビューター押さえに深穴形状に加工されている。すなわち、図１１に示すようにノズルフィルタ２０からディストリビューター２２までの流入経路２１がディストリビューター押さえ２８に穴加工により形成されている。
【０００３】
図７に従来のディストリビューター押さえ２８の断面図を示す。また、図８は図７のＣ−Ｃ’断面である。
【０００４】
【発明が解決しようとする課題】
従来技術によるノズルフィルタ２０からディストリビューター２２までの流路形成方法ではその加工方法は、図１２に示すように、ディストリビューター押さえ２８へのドリル３４による深穴加工となることにより加工時間が長くならざるを得ない。
また、かかる流入経路２１は一般的に直径１〜２ｍｍ程度の小径、かつ穴開け加工用ドリルのホルダー３５から遠い位置の加工となるため、使用できるドリル３４が限られてしまう。これらの理由から、必然的に加工コストがかかるという問題があった。
【０００５】
そこで、本発明は流入経路２１の形成方法を従来の深穴形状から溝状にすることにより、加工工具にかかるコストおよび加工時間を短縮し、加工コストを安くする方法を提供することを目的とするものである。
【０００６】
【課題を解決するための手段】
上記課題を解決するために本発明の請求項１では、液体燃料燃焼機器に用いられ、ディストリビューターを有する圧力噴霧ノズルにおいて、前記圧力噴霧ノズルに形成されるディストリビューターまでの液体燃料の流入経路をディストリビューター押さえのノズルケースとの締結部の軸方向に溝状に形成したことを特徴とする。
【０００７】
つまり、往き油管からディストリビューターまでの流路を溝状に設けること特徴とするものである。流路を溝状とすることで加工はディストリビューター押さえ側面からのエンドミル等による加工が可能になり、これにより往き油管からディストリビューターまでの流路の加工時間が短くなるため、加工費用が安価になり、結果として製造コストを安価にすることができる。
【０００８】
また、請求項２では、圧力噴霧ノズルに形成する前記液体燃料の流入経路を周方向に複数形成したことにも特徴を有する。これにより、ディストリビュータまでの流れがよりスムーズになり、噴霧の偏りがなくなるため、燃焼性能が良好になるという効果を有する。
【０００９】
【発明の実施の形態】
以下、添付図を参照しながら本発明に係わる圧力噴霧ノズルを具体的に説明する。
液体燃料燃焼機器のバーナーにおいて、高負荷燃焼を行うには燃料の微粒化が必要であるが、燃料の微粒化のために用いられる噴霧装置のうち、圧力噴霧ノズルからの噴霧量を連続的に変えられる装置としては図１に示すように、液体燃料タンク１０からストレーナ１１を通して往き油管１２に導かれた液体燃料をポンプ１３によって加圧し、ノズルホルダ３３に固定された圧力噴霧ノズル１４に供給して、圧力噴霧ノズル１４の先端部より噴霧し、灯油の一部を戻り油管１５を通り、流量調整弁１６を介して往き油管１２のポンプ１３の上流側に戻す構成の物が一般的である。
【００１０】
また、かかる液体燃料燃焼機器は水加熱装置として用いられており、例えば、石油給湯器用燃焼機器が知られている。なお、図１において、１７は戻り油管１５の中途に設けた逆止弁である。
【００１１】
すなわち、ポンプ１３より圧力噴霧ノズル１４へ供給される液体燃料供給量ＱＴは、圧力噴霧ノズル１４からの噴霧量ＱＮと、戻り油管１５を通り、往き油管１２の上流側に戻る戻り油量ＱＲとに分流するので、噴霧量ＱＮは、液体燃料供給量ＱＴから戻り油量ＱＲを引いた量となるが、この戻り油量ＱＲを流量調整弁１６により調整することによって、噴霧量ＱＮを調節することができる。
【００１２】
さらに、圧力噴霧ノズル１４部の内部構造詳細は図２に示すとおりである。すなわち、加圧ポンプ１３により供給経路１９から圧送されてきた液体燃料がノズルフィルタ２０、ディストリビューター押さえ２８に形成された流入経路２１を通り、ディストリビューター２２の外周部に供給される。ここで、ディストリビューター２２の外周部には図４に示すようにオフセット溝２３が形成されており、供給された液体燃料はこの溝を圧送されるにより旋回力を与えられる。さらに図２に示す旋回室２４内で旋回し、その一部はオリフィス２５の噴出口２６から噴出し液体燃料に与えられた旋回力により液体燃料は微粒化しながら噴霧される。
【００１３】
また、旋回室内に供給された液体燃料の残りの一部はディストリビューター２２の戻り経路２７からディストリビューター押さえ２８の戻り経路２９を通り、戻り経路１５から往き油管１２に戻される。前述のように、この往き油管１２に戻される液体燃料の量を図１に示す流量調整弁１６により連続的に変化させることにより、圧力噴霧ノズルからの液体燃料の噴霧量を連続的に変化させることができる。
【００１４】
なお、図３は圧力噴霧ノズル１４の先端部詳細図、図４はディストリビューター２２の斜視図である。
本発明は、このような構造の圧力噴霧ノズルにおいて、途中の流入経路２１をディストリビューター押さえ２８に溝状に加工したことを特徴とするものである。その加工方法の一例としては図１３に示すようにディストリビューター押さえ２８の側面からエンドミル３６による加工が考えられるが、本発明は加工ツールを限定するものではない。
【００１５】
なお、圧力噴霧ノズル１４を搭載した液体燃料燃焼機器、及び水加熱装置としては、その一例として従来技術で説明した石油給湯器用燃焼機器があるが、その全体的な構成は従来同様なのでここでの説明は省略する。
また、本発明は液体燃料燃焼機器の形式に係わるものではなく、圧力噴霧ノズルの形状に関するものである。
【００１６】
図２に圧力噴霧ノズル１４の全体構成を示しており、圧力噴霧ノズル１４はノズルケース３２の前部にノズルオリフィス２５が圧入されており、ディストリビューター２２をノズルケース３２とディストリビューター押さえ２８でねじ締めにより締結固定する構造となっている。また、ディストリビューター２２の外周部に噴霧液体を圧送する必要があるため、流入経路２１が必要となる。
【００１７】
ここで、本発明によるディストリビューター押さえのみを図５に、またそのＢ−Ｂ’断面を図６に示すが本発明では流入経路２１が溝状に形成されている。また、溝状の流入経路は図９に示したように複数設けてもよい。
【００１８】
なお、図１０は図９のＤ−Ｄ’断面である。また、図１０では流入経路２１の断面は矩形に形成されているが、本発明はこの断面形状によるものではなく、一例を挙げると半円形や三角形などでもよい。
【００１９】
【発明の効果】
本発明は上記構成により次の効果を発揮する。
第１の発明では、液体燃料燃焼機器に用いられ、ディストリビューターを有する圧力噴霧ノズルにおいて、前記圧力噴霧ノズルに形成される液体燃料の流入経路を軸方向に溝状に形成したことを特徴とする。
つまり、往き油管からディストリビューターまでの液体燃料の流入経路を溝状に設けることを特徴とするものである。これにより、往き油管からディストリビューターまでの流路の加工時間が短くなるため加工費用が安価になり、製造コストを安価にすることができる。
【００２０】
第２の発明では、圧力噴霧ノズルに形成する前記液体燃料の流入経路を周方向に複数形成したことに特徴を有する。
これにより、液体燃料のディストリビューター２２部への供給量を多くできると共に、ディストリビューターまでの流れがよりスムーズになり、噴霧の偏りを抑制できるという効果を有する。
【図面の簡単な説明】
【図１】圧力噴霧ノズルを用いた噴霧装置の一例である。
【図２】本発明による圧力噴霧ノズルを示す断面図である。
【図３】図２に示した圧力噴霧ノズルの先端部詳細図である。
【図４】ディストリビューターの構造を示す斜視図である。
【図５】本発明による圧力噴霧ノズルのディストリビューター押さえの断面図である。
【図６】図５のＢ−Ｂ’断面図である。
【図７】従来の技術による圧力噴霧ノズルのディストリビューター押さえの断面図である。
【図８】図７のＣ−Ｃ’断面図である。
【図９】請求項２によるディストリビューター押さえの一例の断面図である。
【図１０】図９のＤ−Ｄ’断面図である。
【図１１】従来の技術による圧力噴霧ノズルを示す断面図である。
【図１２】従来の技術による流入経路の加工状態図である。
【図１３】本発明による流入経路の加工状態図である。
【符号の説明】
１０…液体燃料タンク、１１…フィルタ、１２…往き油管、
１３…加圧ポンプ、１４…圧力噴霧ノズル、１５…戻り油管、
１６…流量調整弁、１７…逆止弁、１９…往き油管、
２０…ノズルフィルタ、２１…流入経路、２２…ディストリビューター、
２３…オフセット溝、２４…旋回室、２５…オリフィス、２６…噴出口、
２７…ディストリビューター戻り経路、
２８…ディストリビュータ押さえ、
２９…ディストリビュータ押さえ戻り経路、
３２…ノズルケース、３４…ドリル、３５…ドリル用ツールホルダ、
３６…エンドミル、３７…エンドミル用ツールホルダ
【図１】
2004092952.tif 000003
【図２】
2004092952.tif 000004
【図３】
2004092952.tif 000005
【図４】
2004092952.tif 000006
【図５】
2004092952.tif 000007
【図６】
2004092952.tif 000008
【図７】
2004092952.tif 000009
【図８】
2004092952.tif 000010
【図９】
2004092952.tif 000011
【図１０】
2004092952.tif 000012
【図１１】
2004092952.tif 000013
【図１２】
2004092952.tif 000014
【図１３】
2004092952.tif 000015